(57)【要約】【課題】外部へのノイズの影響が少ない線状の照明具を有する音響機器及びその線状照明具用ブラケットを提供する。【解決手段】線状の導光部材３１がブラケット５０により支持され、筐体の前壁部１８に形成した線状の開口部２２に、導光部材３１の少なくとも一側部が露出するとともに、導光部材３１の両端部がブラケット５０により開口部２２から離間して筐体内に配置され、この導光部材３１の両端部にカプラ４２を介して光源としてのＬＥＤが面接触状態に接続されている。【選択図】      図１
2015173057.tif 000002
【特許請求の範囲】
【請求項１】
筐体に形成した線状の開口部に、線状の導光部材の少なくとも一側部が露出するとともに、前記導光部材の少なくとも一端部が前記開口部から離間して前記筐体内に収容され、前記少なくとも一端部に光源が接続されていることを特徴とする音響機器。
【請求項２】
前記導光部材は可撓性材料からなることを特徴とする請求項１記載の音響機器。
【請求項３】
前記光源の出射面と前記導光部材の入射面とが面接触されるとともに、前記導光部材に、該導光部材を弾性変形させて前記入射面から前記出射面に前記導光部材の長手方向の押圧力を生じさせるたわみ部が設けられていることを特徴とする請求項２記載の音響機器。
【請求項４】
前記導光部材の背面後方には、前記開口部への露出部分の背面を支持する裏当て板が長手方向に沿って設けられ、前記裏当て板の両端部に、前記開口部の両端部から前記筐体内に延びる前記導光部材を係合して屈曲させた状態に保持する溝部が形成されていることを特徴とする請求項２又は３記載の音響機器。
【請求項５】
前記筐体の下面部に放熱用孔が形成されており、前記筐体内の前記導光部材と前記放熱用孔との間に光遮蔽部材が設けられていることを特徴とする請求項１から４のいずれか一項記載の音響機器。
【請求項６】
前記開口部の長手方向の途中位置に、その両側縁間を連結するブリッジ部が設けられ、前記導光部材は前記ブリッジ部の背面に当接して前記開口部に露出していることを特徴とする請求項１から５のいずれか一項記載の音響機器。
【請求項７】
前記開口部の幅は、その幅方向に沿う前記導光部材の幅よりも小さく形成されていることを特徴とする請求項１から５のいずれか一項記載の音響機器。
【請求項８】
音響機器の筐体に形成した線状の開口部に線状の導光部材の少なくとも一側部を露出した状態に保持するブラケットであって、前記導光部材の前記開口部への露出部分の背面を支持する裏当て板を有するとともに、該裏当て板の両端部に、前記開口部の両端部から前記筐体内に延びる前記導光部材を係合して屈曲した状態に保持する溝部が形成されていることを特徴とする音響機器の線状照明具用ブラケット。
【請求項９】
前記裏当て板に、前記導光部材を載置しつつ前記筐体の下面部への前記導光部材からの光を遮蔽する棚板部が設けられていることを特徴とする請求項８記載の音響機器の線状照明具用ブラケット。
【請求項１０】
前記棚板部に、前記導光部材の両端部を保持する側方案内板と、前記導光部材の端部を光源に接続するためのカプラを保持する端部板とが設けられていることを特徴とする請求項９記載の音響機器の線状照明具用ブラケット。
【発明の詳細な説明】
【技術分野】
【０００１】
本発明は、筐体の外面に線状の照明具を有する音響機器及びその線状照明具用ブラケットに関する。
【背景技術】
【０００２】
丸型や角型のランプ以外に線状の照明具を車両等の外面の一部の外形に添わせて設けることにより、本来の照明としての機能だけでなく、意匠性を高めるようにしたものが知られている。
例えば、特許文献１には、自動車のヘッドランプの周縁に導光チューブが略環状に取り付けられたものが開示されている。この導光チューブは柔軟で可撓性を有するアクリル樹脂製の丸棒状に成形され、その一端部がチューブケースに挿入され、このチューブケース内で光源に接続されており、また、全体がチューブカバーに挿入され、このチューブカバーが粘着テープによってランプレンズに取り付けられている。
【０００３】
特許文献２には、車両のドアトリムの裏面に沿って導光棒が設けられるとともに、その一端部にＬＥＤを収容したケースが取り付けられ、そのケース内でＬＥＤに接続されており、導光棒の外周面から光を外部に出射する構成のものが開示されている。また、導光棒の先端部に、トリムボードに固定されるキャップ部材が取り付けられ、そのキャップ部材に組み込まれた反射部材によって導光棒の端面から出射される光を反射させてハンドル収容部内を照らすことができるようになっている。
特許文献３には、２個の導光棒が一体に成形され、これらの間の連結部に、ドアミラーのランプハウジングに取り付けるための突起部がリブ状に形成されたものが開示されている。
【先行技術文献】
【特許文献】
【０００４】
【特許文献１】特開２００７−２０３７６２号公報
【特許文献２】特開２０１１−２４０８１１号公報
【特許文献３】特開２０１３−２２２６５７号公報
【発明の概要】
【発明が解決しようとする課題】
【０００５】
これら特許文献記載の照明具は、車両用のものであり、音響機器に適した照明具ではない。音響機器の場合、ノイズ対策が重要であり、照明に起因するノイズが外部に影響しないようにする必要がある。
【０００６】
本発明は、このような事情に鑑みてなされたもので、外部へのノイズの影響が少ない線状の照明具を有する音響機器及びその線状照明具用ブラケットを提供することを目的とする。
【課題を解決するための手段】
【０００７】
本発明の音響機器は、筐体に形成した線状の開口部に、線状の導光部材の少なくとも一側部が露出するとともに、前記導光部材の少なくとも一端部が前記開口部から離間して前記筐体内に収容され、前記少なくとも一端部に光源が接続されていることを特徴とする。
【０００８】
この音響機器は、光源を筐体から離間させて配置したので、その光源に起因するノイズが外部に影響を及ぼすことを低減することができる。
本発明における光源としては、必ずしも限定されるものではないが、安価で、長寿命であることからＬＥＤとすることが望ましい。このＬＥＤは、外部へのノイズの影響が懸念されるため、特に、本発明の構成が有効である。
なお、線状という場合、横断面が円形、矩形、多角形等で長尺な棒状のものが含まれるが、横断面形状に対して長手方向に十分に長く、実質的に線状と言えるものであれば、横断面が偏平形状とされた帯状のものも含まれる。また、必ずしも直線状だけでなく、曲線状や屈曲した形状等も含まれる。
また、導光部材の両端部に光源を接続する場合は、導光部材の両端部を開口部から離間して筐体内に収容すればよい。
【０００９】
本発明の音響機器において、前記導光部材は可撓性材料からなるものとするのが好ましい。
導光部材を必要箇所で折り曲げて配線することができ、その引き回しを容易にすることができる。
【００１０】
本発明の音響機器において、前記光源の出射面と前記導光部材の入射面とが面接触されるとともに、前記導光部材に、該導光部材を弾性変形させて前記入射面から前記出射面に前記導光部材の長手方向の押圧力を生じさせるたわみ部が設けられているとよい。
可撓性を有する導光部材を弾性変形させてたわみ部を形成することにより、そのたわみ部の復元力を入射面に長手方向の押圧力として作用させることができ、光源の出射面との間の接触圧を高めて、接続損失を低減することができる。
【００１１】
本発明の音響機器において、前記導光部材の背面後方には、前記開口部への露出部分の背面を支持する裏当て板が長手方向に沿って設けられ、前記裏当て板の両端部に、前記開口部の両端部から前記筐体内に延びる前記導光部材を係合して屈曲させた状態に保持する溝部が形成されているとよい。
導光部材を裏当て板に支持しているので、筐体の開口部への取り付け作業を容易にするとともに、その裏当て板の溝部に導光部材を保持させているので、導光部材が開口部からずれることを防止することができる。
【００１２】
本発明の音響機器において、前記筐体の一部に放熱用孔が形成されている場合、前記筐体内の前記導光部材と前記放熱用孔との間に光遮蔽部材が設けられているとよい。
音響機器の放熱のために、筐体の下面部等に放熱用孔が形成されているものが多いが、その放熱用孔から光が漏れないように光遮蔽部材を設けたので、開口部からの照明を際立たせることができる。
【００１３】
本発明の音響機器において、前記開口部の長手方向の途中位置に、その両側縁間を連結するブリッジ部が設けられ、前記導光部材は前記ブリッジ部の背面に当接して前記開口部に露出しているものとすることができる。
導光部材を開口部から露出させると、ブリッジ部の背面に当接してブリッジ部により押された状態となる。このため、導光部材に弛みが生じていたとしても、筐体の開口部に臨ませることにより、開口部に沿った線状に配置することができる。また、このブリッジ部は、外部からの衝撃等に対して導光部材を保護することができる。
【００１４】
本発明の音響機器において、前記開口部の幅は、その幅方向に沿う前記導光部材の幅よりも小さく形成されているものとすることができる。
導光部材を開口部から露出させると、開口部の幅が小さいことから、導光部材の一側部のみが開口部に臨ませられる。また、導光部材は開口部の両側縁により押さえられた状態となる。このため、導光部材に弛みが生じていたとしても、筐体の開口部に臨ませることにより、開口部に沿った線状に配置することができる。
【００１５】
また、本発明の音響機器の線状照明具用ブラケットは、音響機器の筐体に形成した線状の開口部に線状の導光部材の少なくとも一側部を露出した状態に保持するブラケットであって、前記導光部材の前記開口部への露出部分の背面を支持する裏当て板を有するとともに、該裏当て板の両端部に、前記開口部の両端部から前記筐体内に延びる前記導光部材を係合して屈曲した状態に保持する溝部が形成されていることを特徴とする。
【００１６】
本発明の音響機器の線状照明具用ブラケットにおいて、前記裏当て板に、前記導光部材を載置しつつ前記筐体の下面部への前記導光部材からの光を遮蔽する棚板部が設けられているとよい。
【００１７】
さらに、前記棚板部に、前記導光部材の両端部を保持する側方案内板と、前記導光部材の端部を光源に接続するためのカプラを保持する端部板とが設けられているとよい。
【発明の効果】
【００１８】
本発明によれば、筐体の線状の開口部に臨む導光部材から線状に照明することができるとともに、光源を開口部から離間して筐体内に収容したので、外部へのノイズの影響も少ない音響機器とすることができる。
【図面の簡単な説明】
【００１９】
【図１】本発明の一実施形態の音響機器の照明具と筐体の開口部とを分解して示す要部斜視図である。
【図２】音響機器の筐体への照明具の取り付け構造を示す縦断面図である。
【図３】筐体に照明具を取り付けた状態の平面図である。
【図４】音響機器の全体外観を示す斜視図である。
【図５】筐体の開口部に導光部材を臨ませた状態を示す要部断面図である。
【図６】照明具の分解斜視図である。
【図７】照明具の平面図である。
【図８】照明具のブラケットから外した状態の導光部材及び光源の斜視図である。
【発明を実施するための形態】
【００２０】
以下、本発明の実施形態について図面を参照して説明する。
実施形態の音響機器１は、図４に全体外観を示したように、音響信号のミキシング処理に用いられるミキサ装置であり、卓面２等の上に設置して据え置き使用される。この音響機器１は、その筐体１０の上面部に、入力チャンネルにおける音声信号処理のパラメータの値を調整するための複数のフェーダー操作子３を備えるチャンネルストリップが複数列並んで設けられた平面パネル部１１と、ディスプレイ１２乃至図示しない操作子等が並んだ傾斜パネル部１３とが形成されており、平面パネル部１１の前方側（図４の右手前側）に操作者が位置し、平面パネル部１１の後方に傾斜パネル部１３が配置され、操作者は、これら両パネル部１１，１３の各操作子等を操作する。以降、特に断らないときは、操作者から視た前後方向、左右方向、上下方向を音響機器の前後方向、左右方向、上下方向とする。図４には、前後方向をＸ方向、左右方向をＹ方向、上下方向をＺ方向として示している。
【００２１】
平面パネル部１１は、図２に示すように、音響機器１の下面を構成する設置面部１４から所定高さでほぼ平行に形成されており、この平面パネル部１１の前端に連続する前面部１５が設置面部１４の前端よりも前方に突出して設けられている。この前面部１５の前端、つまり平面パネル部１１の前端は、凸状の円弧面に形成されており、いわゆるハンドレストあるいはアームレストとして機能できるように構成されている。また、前面部１５の背面側には、この音響機器１を持ち運ぶ際に手を引っ掛け得るように下方に開口する凹溝部１６が左右方向に沿って設けられている。
【００２２】
また、設置面部１４の前端には、設置面部１４から徐々に高くなるように傾斜面部１７が連続して形成されており、この傾斜面部１７の前端と凹溝部１６の後端との間に上下方向に沿う前壁部１８が形成されている。つまり、この実施形態の音響機器１の筐体１０は、設置面部１４から順に、傾斜面部１７、前壁部１８、凹溝部１６、前面部１５、平面パネル部１１、傾斜パネル部１３、背面部１９が形成され、これらの両側方を覆うように側面部２０が形成されている。
また、傾斜面部１７には、多数の放熱用孔２１（換気用の孔）が貫通して設けられており（図３参照）、筐体１０内で発生する熱を外部に放散させることができるようになっている。
【００２３】
そして、筐体１０の前壁部１８において凹溝部１６の下方位置であって、操作者からは前面部１５の影になる位置に、図１に示すように左右方向（水平方向）に沿う直線状の開口部２２が、その長手方向に相互間隔をあけて複数形成され、これら開口部２２を通して、照明具３０が発する光が、線状に外部へ照射されるようになっている。
この照明具３０は、図１及び図６〜図８に示すように、線状の導光部材３１と、光源４０を備えた基板４１と、この基板４１上で導光部材３１と光源４０とを接続するカプラ４２と、これら導光部材３１及び光源４０、カプラ４２を固定した基板４１を保持するブラケット５０とを備えている。
【００２４】
導光部材３１は、アクリル系樹脂等の光透過性材料により、柔軟で可撓性を有する長尺な棒状等の線状に形成されている。この導光部材３１は、その端面から光を入射すると、光が導光部材３１の外周面で反射しながら長手方向に進行しつつ、一部の光が外周面から外部に放出されることにより、長手方向の全体にわたる線状の光源となるものである。この導光部材３１の横断面は、実施形態では円形に形成されるが、矩形、多角形等でもよく、実質的に線状と言えるものであれば、横断面が偏平形状とされた帯状のものも含まれる。
そして、この導光部材３１は、ブラケット５０により所定形状に折り曲げられた状態で保持されている。具体的には、導光部材３１の長手方向の中間部分は、その一側部が前述した筐体１０の開口部２２に臨ませられるように直線状に保持され、その直線部３２の両端が９０°に折り曲げられ、その折り曲げ部３３を介して引き出し端部３４が相互にほぼ平行に配置されている（図６〜図８参照）。
【００２５】
ブラケット５０は、この導光部材３１を保持するものであり、金属板のプレス加工により、水平に配置される棚板部５１に、直線部３２の背面を支持する裏当て板５２と、両引き出し端部３４をそれぞれ保持する側方案内板５３と、各基板４１をそれぞれ保持する端部板５４とが垂直に立設された形状に構成されている（図６参照）。この場合、裏当て板５２と両側方案内板５３は９０°の配置で設けられ、両側方案内板５３は相互に平行に設けられ、両端部板５４は両側方案内板５３に対して９０°の配置で設けられている。したがって、両端部板５４と裏当て板５２とは平行に配置される。
また、裏当て板５２の両端に、導光部材３１の折り曲げ部３３の途中位置を係合する溝部５５が形成されており、この溝部５５に導光部材３１の折り曲げ部３３が係合することにより、導光部材３１の両引き出し端部３４が、棚板部５１の上方に配置され、かつ、この棚板部５１の上方で各側方案内板５３に保持される構成である。また、本実施形態では、導光部材３１の引き出し端部３４をブラケット５０の側方案内板５３に固定するために結束具５６が設けられている。
【００２６】
また、端部板５４には、光源４０としてのＬＥＤを有する基板４１が固定されるとともに、その基板４１に取り付けられたカプラ４２により、導光部材３１と光源４０とが接続されている。図６に示すように、導光部材３１の端面は光の入射面３１ａであり、カプラ４２は、光源（ＬＥＤ）４０の出射面４０ａに対して導光部材３１の入射面３１ａを面接触させて導光部材３１の端部を保持する構成である。
【００２７】
そして、このカプラ４２内において導光部材３１の入射面３１ａを光源４０の出射面４０ａに押し付けるための、導光部材３１の長手方向の押圧力を生じさせるために、導光部材３１の引き出し端部３４において結束具５６で結束されている部分とカプラ４２との間に、導光部材３１を弾性変形させてなるたわみ部３５が形成されている。具体的には、図７に示すように、端部板５４に設けられるカプラ４２の保持軸Ｃ１は、結束具５６により側方案内板５３に保持された部分の導光部材３１の中心軸Ｃ２から水平方向にずれて配置されるとともに、導光部材３１の長さがブラケット５０における２つのカプラ４２間の必要経路長よりも少し長めとされており、その結果、そのずれＤの分で導光部材３１が弾性変形させられたたわみ部３５が形成される。このたわみ部３５の復元力により、導光部材３１の入射面３１ａは光源４０の出射面４０ａに押し付けられる。これにより、光源４０と導光部材３１との接触圧を高めて、接続損失を低減することができる。
【００２８】
一方、筐体１０における前壁部１８の開口部２２は、導光部材３１の直径とほぼ同じかわずかに大きい幅に開口しており、その長手方向の途中位置の複数個所に、図１及び図５に示すように、開口部２２の両側縁の一部を連結する半筒状のブリッジ部２３が設けられている。このブリッジ部２３が間隔をあけて複数設けられていることにより、開口部２２は断続的に形成される。
そして、ブラケット５０で導光部材３１を保持して、そのブラケット５０の裏当て板５２を前壁部１８の背面にネジ２４により固定すると（図１参照）、導光部材３１は、その直線部３２が開口部２２に臨ませられるとともに、その長手方向の複数個所でブリッジ部２３の背面に当接し、このブリッジ部２３に押さえられて固定される。また、この取り付け状態では、ブラケット５０の棚板部５１は、図２に示すように前壁部１８の背面から離間する方向に直角に保持される。
なお、図４において符号４は、ヘッドホン音量つまみ、及びヘッドホンが接続される出力端子等を示している。
【００２９】
このように構成した音響機器１において、導光部材３１及び光源４０をブラケット５０で保持して、そのブラケット５０を筐体１０の前壁部１８の背面に固定することにより、導光部材３１の直線部３２を前壁部１８の開口部２２から臨ませることができる。この場合、導光部材３１は可撓性を有しているので、ブラケット５０に取り付けるときの引き回しが容易であるとともに、その際に、裏当て板５２の両溝部５５に保持された導光部材３７が裏当て板５２の前面でわずかにたるんだ状態で支持されていたとしても、裏当て板５２により導光部材３１の直線部３２の背面後方を支持しつつ、直線部３２を開口部２２に臨ませてブラケット５０を前壁部１８に固定することにより、ブリッジ部２３と裏当て板５２との間で挟持されて直線状に保持される。また、この取り付け時に導光部材３１が押圧されるが、直線部３２の両端は裏当て板５２の溝部５５に係合しているので、直線部３２が幅方向にずれることはなく、開口部２２に正確に臨ませられる。
したがって、導光部材３１等を保持したブラケット５０を筐体１０の前壁部１８にネジ止め等により固定するだけで、導光部材３１を正確な位置に簡単に取り付けることができる。
【００３０】
そして、このようにしてブラケット５０により導光部材３１を筐体１０に固定した状態で、光源４０から光が導光部材３１に入射すると、その光は、筐体１０の前側下部で前壁部１８の開口部２２に臨む線状の導光部材３１（直線部３２）から外部に照射され、筐体１０の前方の卓面２上を照らすことができ、操作者が音響機器１の手前で台本を見たり、レコーダやキーボード等を操作したりする際等の手元照明として機能させることができる。あるいは、この実施形態の場合はヘッドホン用出力端子４にプラグを挿し込む際の案内照明として機能させることもできる。
この場合、前述したように、前面部１５より上からは直接見えない位置に開口部２２が形成されているので、コンサートやイベント等において客席付近で使用するとき聴衆の鑑賞を妨げにくく、かつ、間接照明のように淡い光となって意匠性を高めることができる。
【００３１】
また、導光部材３１に接続される光源４０には、ＬＥＤが用いられており、このＬＥＤは、調光のためのＰＭＷ制御によりノイズの発生が大きく、そのノイズの影響が問題になるが、その光源４０は、ブラケット５０により筐体１０の前壁部１８から離間して配置されるので、光源４０のノイズが筐体１０の外部に影響を与えることを低減することができる。
また、筐体１０には、開口部２２の他に前述した放熱用孔２１が傾斜面部１７に形成されているが、筐体１０内に配置される導光部材３１の両引き出し端部３４はブラケット５０の棚板部５１上に配置されており、この棚板部５１が、傾斜面部１７と導光部材３１の引き出し端部３４との間を遮るように配置され、光遮蔽部材として機能している。このため、引き出し端部３４から発する光が傾斜面部１７の放熱用孔２１から外部に漏れることを防止することができる。
さらに、開口部２２から臨ませられている導光部材３１の直線部３２は、長手方向の複数個所でブリッジ部２３に覆われた状態となり、外部から衝撃が加わった場合などに、ブリッジ部２３が導光部材３１に対するプロテクタとして機能し、損傷を防止することができる。
【００３２】
なお、本発明は、上記実施形態に限定されるものではなく、本発明の趣旨を逸脱しない範囲において種々の変更を加えることが可能である。
筐体の開口部から導光部材を露出させる際に、実施形態では、開口部の幅を導光部材の直径とほぼ同じかわずかに大きく設定し、ブリッジ部によって導光部材を押さえるようにしたが、開口部の幅を導光部材の直径よりも小さくすることにより、開口部の側縁が導光部材に当接するようにしてもよく、ブリッジ部を省略することが可能になる。
また、実施形態では導光部材の両端に光源を接続したが、一方の端面のみに光源を接続してもよい。その場合、導光部材の他方の端面に反射膜を形成するようにしてもよい。
【００３３】
さらに、筐体に形成される放熱用孔が実施形態の傾斜面部ではなく、側板等、他の面に形成される場合には、ブラケットに、導光部材と放熱用孔との間を遮断するように光遮蔽部材を配置すればよい。
また、このブラケットは、導光部材を支持することができ、筐体の一部に放熱用孔が形成されている場合に光遮蔽部材として配置され得るものであれば、その形状及び材質は実施形態で示したものに限らない。このブラケットの筐体への取り付け構造もネジ止め、接着、弾性片からなる爪等への係止など、種々の構造を採用することができる。
実施形態では音響装置をミキサ装置としたが、ミキサ装置以外の音響装置に本発明を適用できることはもちろんである。
【符号の説明】
【００３４】
１…音響機器、２…卓面、３…フェーダー操作子、４…出力端子、１０…筐体、１１…平面パネル部、１２…ディスプレイ、１３…傾斜パネル部、１４…設置面部、１５…前面部、１６…凹溝部、１７…傾斜面部、１８…前壁部、１９…背面部、２０…側面部、２１…放熱用孔、２２…開口部、２３…ブリッジ部、３０…照明具、３１…導光部材、３２…直線部、３３…折り曲げ部、３４…引き出し端部、４０…光源、４１…基板、４２…カプラ、５０…ブラケット、５１…棚板部、５２…裏当て板、５３…側方案内板、５４…端部板、５５…溝部、５６…結束具
【図１】
2015173057.tif 000003
【図２】
2015173057.tif 000004
【図３】
2015173057.tif 000005
【図４】
2015173057.tif 000006
【図５】
2015173057.tif 000007
【図６】
2015173057.tif 000008
【図７】
2015173057.tif 000009
【図８】
2015173057.tif 000010